(57)【特許請求の範囲】
【請求項１】
シリンダブロックのウォータジャケット内に挿入して組み付けられ、該ウォータジャケット内を流通する冷却水の流量を調整するためのウォータジャケットスペーサであって、
前記ウォータジャケット内に遊挿され、その形状に沿って筒形状に形成されたスペーサ基体を含み、該スペーサ基体は、その比重が前記冷却水の比重より小とされ、且つ、少なくとも一部が合成樹脂の発泡体からなり、
前記スペーサ基体は、前記ウォータジャケット内に挿入して組み付けた際に、前記冷却水に対して浮上することで、前記ウォータジャケットを取り囲む内壁のうち、上方向に位置する内壁に当接又は近接する一方、前記ウォータジャケットを取り囲む内壁のうち、下方向に位置する内壁との間の隙間が広がる比重となるように形成されていることを特徴とするウォータジャケットスペーサ。
【請求項２】
請求項１に記載のウォータジャケットスペーサにおいて、
前記スペーサ基体は、水平型エンジンを構成する前記シリンダブロックの前記ウォータジャケット内に挿入して組み付けた際に、前記冷却水に対して浮上することで、前記スペーサ基体と前記ウォータジャケットの下側の外側壁との隙間が広がり、上側の外側壁との隙間が狭められる比重になるように形成されていることを特徴とするウォータジャケットスペーサ。
【請求項３】
請求項２に記載のウォータジャケットスペーサにおいて、
前記シリンダブロックの下部に冷却水の給水口が設けられ、上部に排水口が設けられていることを特徴とするウォータジャケットスペーサ。
【請求項４】
請求項３に記載のウォータジャケットスペーサにおいて、
前記スペーサ基体は、縦型エンジンを構成する前記シリンダブロックの前記ウォータジャケット内に挿入して組み付けた際に、前記冷却水に対して浮上することで、前記スペーサ基体と前記ウォータジャケットの底壁との隙間が広がり、前記シリンダブロックの上端に締結されるシリンダヘッドとの間に介在されるシリンダヘッドガスケットに当接する比重になるように形成されていることを特徴とするウォータジャケットスペーサ。
【請求項５】
請求項４に記載のウォータジャケットスペーサにおいて、
前記スペーサ基体の下部が、前記スペーサ基体の上部より比重が大となるように構成されていることを特徴とするウォータジャケットスペーサ。
【請求項６】
請求項５に記載のウォータジャケットスペーサにおいて、
前記スペーサ基体の全体が、合成樹脂の発泡体からなり、
前記スペーサ基体の前記上部の発泡倍率が、前記下部の発泡倍率より高いことを特徴とするウォータジャケットスペーサ。
【請求項７】
請求項５に記載のウォータジャケットスペーサにおいて、
前記スペーサ基体の前記上部が合成樹脂の発泡体からなり、前記下部が合成樹脂の非発泡体からなることを特徴とするウォータジャケットスペーサ。
【請求項８】
請求項５〜請求項７のいずれか１項に記載のウォータジャケットスペーサにおいて、
前記スペーサ基体の前記上部と前記下部とを個別に形成し、後に一体としたことを特徴とするウォータジャケットスペーサ。
【発明の詳細な説明】
【技術分野】
【０００１】
本発明は、自動車用水冷式エンジンのシリンダブロックに形成されるウォータジャケットに挿入され、該ウォータジャケット内を流通する冷却水の流量を規制するウォータジャケットスペーサに関する。
【背景技術】
【０００２】
前記のようなシリンダブロックには、シリンダボア壁まわりにウォータジャケットが形成され、このウォータジャケットに冷却水（不凍液が混合された冷却水も含む）が流通され、加熱されるシリンダボア壁の冷却がなされる（特許文献１及び特許文献２参照）。特許文献１では、冷却水入口部及び冷却水出口部でのボア壁の冷却効率の相違をなくし、更には、隣接するボア孔間部分及びその他の部分でのボア壁の冷却効率の相違をなくし、ボア孔が不均一に変形を防止するための種々のウォータジャケットスペーサの形状について提案されている。また、特許文献２では、暖機運転が完了するまでの時間の短縮を図ることを目的として改良された種々の形状のウォータジャケットスペーサが提案されている。
【先行技術文献】
【特許文献】
【０００３】
【特許文献１】特許第３５９６４３８号公報
【特許文献２】特開２００６−９０１９５号公報
【発明の概要】
【発明が解決しようとする課題】
【０００４】
近時、自動車用レシプロエンジンとして、直列型やＶ型のようにピストンが縦方向に動作するエンジン（以下、縦型エンジンと称す）や、ピストンが水平方向に動作するエンジン（以下、水平型エンジンと称す）が用いられている。特許文献１及び特許文献２に示されるエンジンはいずれも縦型エンジンである。縦型エンジンの場合、ウォータジャケットの上部が燃焼室に近く、ウォータジャケット内を流通する冷却水の上部と下部との温度差が大きくなり易くなる。特許文献１では、基本的にはウォータジャケットスペーサをウォータジャケットの底壁側に位置するようにし、上部側の冷却水の流通量が多くなるようにしている。そのため、暖機運転時には冷却水の冷却効果が過剰となって、所期の暖機運転が円滑になされなくことが予想される。また、特許文献２では、暖機運転が完了するまでの時間の短縮を図るために、ウォータジャケットスペーサ自体の構造に工夫がなされているが、構造が複雑でコストが嵩むことが予想される。
【０００５】
一方、水平型エンジンの場合、シリンダの軸線が水平状態とされ、燃焼室側と反燃焼室側（クランクシャフト側）とは水平方向に位置するから、ウォータジャケット内を流通する冷却水は、この両者間で縦型エンジンの上部及び下部間程温度差を生じない。このような水平型エンジンの場合、冷却水の入口部（給水口）は、ウォータジャケットの下側の外側壁に、出口部（排水口）は上側の外側壁に、それぞれ設けられ、給水口からウォータジャケット内に流入した冷却水はウォータジャケットの下部から上部にかけてシリンダボア壁回りを循環して排水口から排水される。このような水平型エンジンにおいては、ウォータジャケットスペーサの比重が冷却水の比重より大きい場合、給水口付近では、当該ウォータジャケットスペーサが、ウォータジャケットの下側の外側壁に近接するよう沈み、下側のシリンダボア壁との間隔が広がるようになる。そのため、給水口より流入した温度の低い冷却水は、当該広がった間隔部分に回り込み易くなる。この部分に温度の低い冷却水が多量に回り込むことによって、下側のシリンダボア壁が過冷却状態となり、円滑な暖機運転がなし得ないことがある。
【０００６】
本発明は、上記に鑑みなされたもので、構造が簡単で、冷却水によるシリンダボア壁の冷却が適正になされると共に、断熱機能及び遮音機能も奏するウォータジャケットスペーサを提供することを目的としている。
【課題を解決するための手段】
【０００７】
本発明に係るウォータジャケットスペーサは、シリンダブロックのウォータジャケット内に挿入して組み付けられ、該ウォータジャケット内を流通する冷却水の流量を調整するためのウォータジャケットスペーサであって、前記ウォータジャケット内に遊挿され、その形状に沿って筒形状に形成されたスペーサ基体を含み、該スペーサ基体は、その比重が前記冷却水の比重より小とされ、且つ、少なくとも一部が合成樹脂の発泡体からなり、前記スペーサ基体は、前記ウォータジャケット内に挿入して組み付けた際に、前記冷却水に対して浮上することで、前記ウォータジャケットを取り囲む内壁のうち、上方向に位置する内壁に当接又は近接する一方、前記ウォータジャケットを取り囲む内壁のうち、下方向に位置する内壁との間の隙間が広がる比重となるように形成されていることを特徴とする。
【０００８】
本発明に係るウォータジャケットスペーサは、シリンダブロックのウォータジャケット内に挿入して組み付けられる。これによって、ウォータジャケット内に流通される冷却水の容量が調整される。また、当該ウォータジャケットスペーサの主体であるスペーサ基体は、その比重が前記冷却水の比重より小とされているから、ウォータジャケット内では、冷却水に対して浮上し、ウォータジャケットを取り囲むいずれかの内壁であって、前記浮上方向（鉛直方向）に位置する内壁に一部が当接ないし近接する。これによって、ウォータジャケット内でのウォータジャケットスペーサの位置が定まって冷却水の流通状態が安定し、所期の冷却水の冷却機能が発揮される。更に、スペーサ基体は、少なくとも一部が合成樹脂の発泡体からなるから、安価且つ簡易に製することができると共に、断熱性、或いは、吸音特性によって、シリンダブロック外部の温度上昇、或いは騒音の発生を抑えることができる。
【０００９】
本発明において、前記スペーサ基体は、前記ウォータジャケット内に挿入して組み付けた際に、前記冷却水に対して浮上することで、前記ウォータジャケットを取り囲む内壁のうち、上方向に位置する内壁に当接又は近接する一方、前記ウォータジャケットを取り囲む内壁のうち、下方向に位置する内壁との間の隙間が広がる比重となるように形成されている。よって、スペーサ基体とウォータジャケットの下方向に位置する内壁との間の隙間が広がることにより、冷却水の流通域が確保され、前記冷却水の流通状態が安定する。
【００１０】
本発明において、前記シリンダブロックが、水平型エンジンを構成するものであり、前記スペーサ基体は、前記ウォータジャケット内に挿入して組み付けた際に、前記冷却水に対して浮上することで、前記スペーサ基体と前記ウォータジャケットの下側の外側壁との隙間が広がり、上側の外側壁との隙間が狭められる比重となるように形成されているものとしても良い。この場合、前記シリンダブロックは、その下部に冷却水の給水口が設けられ、上部に排水口が設けられているものであることが望ましい。これによれば、温度の低い冷却水が導入されるウォータジャケットの下側部では、スペーサ基体と前記下側の外側壁との隙間が広がるから、スペーサ基体とシリンダボア壁との間の隙間が狭められ、シリンダボア壁とスペーサ基体との間に回りこむ冷却水の量が抑制され、シリンダボア壁温度の過冷却が防止される。一方、ウォータジャケットの上側部では、スペーサ基体と上側の外側壁との隙間が狭められ、即ち、スペーサ基体と上側のシリンダボア壁との隙間が広がり、ウォータジャケット内での循環によって温度が上昇した冷却水がこの広がった隙間に滞留してこの部分のシリンダボア壁を保温する。このような冷却水の流通状態は、この種の水平型エンジンにおいては、燃費の向上に寄与する。
【００１１】
本発明において、前記シリンダブロックが、縦型エンジンを構成するものであり、前記スペーサ基体は、前記ウォータジャケット内に挿入して組み付けた際に、前記冷却水に対して浮上することで、前記スペーサ基体と前記ウォータジャケットの底壁との隙間が広がり、前記シリンダブロックの上端に締結されるシリンダヘッドとの間に介在されるシリンダヘッドガスケットに当接する比重となるように形成されているものとしても良い。これによれば、スペーサ基体が、冷却水によって浮上してウォータジャケットの内壁の一部を構成するシリンダヘッドガスケットに当接するから、底壁との間の隙間が広がった状態で安定的に維持される。これによって、スペーサ基体の位置決めがなされ、ウォータジャケット内での意図した熱伝達率の分布状態の維持が的確になされる。
【００１２】
本発明において、シリンダブロックが縦型エンジンを構成するものである場合、前記スペーサ基体の下部が、前記スペーサ基体の上部より比重が大となるように構成されているものとしても良い。これによれば、スペーサ基体のウォータジャケット内での前記浮上姿勢がより安定化される。
【００１３】
本発明において、前記のように、スペーサ基体の下部と上部とで比重差がある場合の構成態様として、以下の態様を採用しても良い。
ａ）前記スペーサ基体の全体が、合成樹脂の発泡体からなり、前記スペーサ基体の前記上部の発泡倍率が、前記下部の発泡倍率より高い。
ｂ）前記スペーサ基体の前記上部が合成樹脂の発泡体からなり、前記下部が合成樹脂の非発泡体からなる。
また、ａ），ｂ）のいずれかにおいて、前記スペーサ基体の前記上部と前記下部とを個別に形成し、後に一体としたものとしても良い。
これらはいずれも合成樹脂の発泡体を主体とするから、原材料の使用量が少なく且つ軽量であり、また、成型も簡易になし得、安価に供給することができると共にエンジンの燃費向上にも寄与する。そして、断熱性及び遮音性にも優れ、シリンダブロック外部の温度上昇、或いは騒音の発生を、より効果的に抑えることができる。
【発明の効果】
【００１４】
本発明に係るウォータジャケットスペーサによれば、構造が簡単で、冷却水によるシリンダボア壁の冷却が的確になされると共に、断熱機能及び遮音機能も備え、自動車用エンジンの構成部材としての適正が向上する。
【図面の簡単な説明】
【００１５】
【図１】本発明のウォータジャケットスペーサの第１の実施形態の全体形状を示す概略的斜視図である。
【図２】同実施形態のウォータジャケットスペーサが組み付けられる水平型エンジンのシリンダブロックの一例を示し、ピストン軸に直交する切断面における断面図である。
【図３】図２のＸ−Ｘ線矢視断面図である。
【図４】本発明のウォータジャケットスペーサの第２の実施形態の全体形状を示す概略的斜視図である。
【図５】同実施形態のウォータジャケットスペーサが組み付けられる縦型エンジンのシリンダブロックの一例を示し、ピストン軸に直交する切断面における断面図である。
【図６】図５のＹ−Ｙ線矢視断面図である。
【図７】同実施形態の変形例を示す図６と同様図である。
【図８】同実施形態の他の変形例を示す図６と同様図である。
【発明を実施するための形態】
【００１６】
以下に本発明の実施の形態について、図面に基づいて説明する。図１は、本発明に係るウォータジャケットスペーサの第１の実施形態を示している。このウォータジャケットスペーサ１は、図２に示すようなシリンダブロック２のウォータジャケット３内に挿入され組み付けられる。図例のシリンダブロック２は、オープンデッキタイプの２気筒水平型（水平対向）エンジンを構成するものであり、直列的に配置された２個のシリンダボア４を備えている。そして、この２個のシリンダボア４のシリンダボア壁４ａの周囲に一連のウォータジャケット３が側面視して環状に形成されている。各シリンダボア壁４ａの内周部には、シリンダライナー４ｂが内張りされている（図３参照、図２では図示を省略）。シリンダボア壁４ａは、ウォータジャケット３の内側壁を構成する。シリンダブロック２の下側部には、ウォータジャケット３に連通する冷却水の給水口３ａが、上側部には排水口３ｂが形成され、給水口３ａから給水される冷却水は、矢印ａのようにウォータジャケット３内を循環しながら流通し、一部が排水口３ｂより逐次排出されるように構成されている。図例では、給水口３ａ及び排水口３ｂが、それぞれ２個ずつ形成されているが、シリンダボア４，４間に１個ずつ形成されていても良い。
【００１７】
図３に示すように、シリンダブロック２の側部には、シリンダヘッド５が不図示のシリンダヘッドガスケット６を介して締結され、この締結状態では、シリンダブロック２とシリンダヘッド５との合体面がシリンダヘッドガスケット６によってシールされる。また、ウォータジャケット３の開口端部は、シリンダヘッドガスケット６によって水密的に閉塞され、シリンダヘッドガスケット６がウォータジャケット３の内壁の一部を構成する。２ａ…は、シリンダヘッド５をシリンダブロック２に締結させるためのボルト（不図示）用の雌ねじ穴である。シリンダブロック２は、例えば、アルミ合金等の鋳造によって製造され、前記シリンダボア４及びウォータジャケット３は、鋳型の雄型部分によって形成される。特に、ウォータジャケット３に対応する雄型部分は、鋳型の強度を確保するためにある程度の厚みを必要とし、そのため、形成されるウォータジャケット３の溝幅は、必要以上に大となることがある。そこで、ウォータジャケットスペーサ１を、ウォータジャケット３内に挿入して、ウォータジャケット３内を流通する冷却水の実質的な容量の調整がなされる。
【００１８】
本実施形態のウォータジャケットスペーサ１は、全体形状が前記ウォータジャケット３内に遊挿し得る筒形状で、合成樹脂の独立発泡体による成型体からなるスペーサ基体１０を有している。図例のウォータジャケットスペーサ１は、当該スペーサ基体１０のみから構成されており、このスペーサ基体１０の比重は冷却水より小さくなるように設定される。スペーサ基体１０の周面に、冷却水の流通を規制する突起等を備えたものであっても良く、このような突起等を備えている場合も、全体の比重は冷却水より小とされる。スペーサ基体１０を構成する合成樹脂の発泡体としては、ポリアミド樹脂（ＰＡ６６，ＰＰＡ）、ポリフェニレンサルファイド樹脂（ＰＰＳ）、ポリプロピレン樹脂（ＰＰ）等の合成樹脂による発泡体が望ましく採用される。例えば、ポリアミド樹脂（ＰＰＡ）の場合、そのソリッドの比重は１．４７であり、このソリッド３３２ｇに発泡剤１ｇを、２７６ｇに発泡剤２ｇを、それぞれ添加して発泡させながら所定形状に成型すると、比重が１．０４及び０．８６の発泡体が得られる。自動車用エンジンの冷却水として不凍液が混合された冷却水（ＬＬＣ）が用いられ、ＬＬＣの仕様によって比重は変動するが、概ね１．０７５程度に配合調整される。従って、前記発泡体は、比重が１．０７５より小さくなるように、前記発泡剤の量が調整される。
【００１９】
前記のように構成されたスペーサ基体１０は、図２及び図３に示すように、ウォータジャケット３内にその開口端部より挿入される。図３は、スペーサ基体１０がウォータジャケット３に挿入され、前記シリンダブロック２に、シリンダヘッド５がシリンダヘッドガスケット６を介して締結された状態を示している。そして、ウォータジャケット３内に、冷却水が給水口３ａより給水されて、ウォータジャケット３内が冷却水で満たされる。このように冷却水がウォータジャケット３内に満たされた状態では、スペーサ基体１０と冷却水との比重差により、スペーサ基体１０が冷却水に対して浮上する（図３の太矢印参照）。この浮上は、前記スペーサ基体１０と前記ウォータジャケット３の下側の外側壁（内壁）３０との隙間ｄ１が広がり、上側の外側壁（内壁）３１との隙間ｄ３が狭められるようになされる。これによって、ウォータジャケット３の下側部におけるシリンダボア壁（内壁）４ａと、スペーサ基体１０との隙間ｄ２が狭まり、給水口３ａからウォータジャケット３内に流入した温度の低い冷却水のこの隙間ｄ２部分への回り込みが抑制されシリンダボア壁４ａの過冷却が防止される。また、ウォータジャケット３の上側部における外側壁３１とスペーサ基体１０との隙間ｄ３が狭まり、これによって、ウォータジャケット３の上側部におけるシリンダボア壁（内壁）４ａと、スペーサ基体１０との隙間ｄ４が広がる。ウォータジャケット３内を循環して温度が上昇した冷却水は、この広がった隙間ｄ４部分に滞留する時間が長くなり、この部分のシリンダボア壁４ａを保温する。従って、シリンダボア壁４ａの適度な温度維持が可能となり、暖機運転が効率的になされ、自動車用エンジンの燃費向上に寄与する。また、シリンダボア４とシリンダブロック２の外部との間には、ウォータジャケット３内の冷却水及び合成樹脂の発泡体からなるスペーサ基体１０が存在するから、シリンダボア４で発生する熱及び音の外部への漏出が抑制される。特に、独立発泡体は、吸音特性に優れ、騒音発生の防止に有効である。
【００２０】
図４は、本発明のウォータジャケットスペーサの第２の実施形態の全体形状を示している。図５は同実施形態のウォータジャケットスペーサが組み付けられる縦型（直列型、Ｖ型）エンジンのシリンダブロックの一例を示し、図６は図５のＹ−Ｙ線矢視断面図を示している。このウォータジャケットスペーサ１Ａは、図５に示すようなシリンダブロック２Ａのウォータジャケット３内に挿入され組み付けられる。図例のシリンダブロック２Ａは、オープンデッキタイプの３気筒エンジン（Ｖ型の場合、６気筒エンジンの片側に相当する）を構成するものであり、直列的に配置された３個のシリンダボア４を備えている。そして、この３個のシリンダボア４のシリンダボア壁４ａの周囲に一連のウォータジャケット３が平面視して環状に形成されている。シリンダブロック２Ａの一側部には、ウォータジャケット３に連通する冷却水の給水口３ａと、排水口３ｂとが形成され、給水口３ａから給水される冷却水は、矢印ｂのようにウォータジャケット３内を循環しながら流通し、一部が排水口３ｂより逐次排出されるように構成されている。シリンダブロック２Ａの上面には、図６に示すようにシリンダヘッド５Ａがシリンダヘッドガスケット６Ａを介して締結され、この締結状態では、シリンダブロック２Ａとシリンダヘッド５Ａとの合体面がシリンダヘッドガスケット６Ａによってシールされる。また、ウォータジャケット３の開口端部は、シリンダヘッドガスケット６Ａによって水密的に閉塞され、シリンダヘッドガスケット６Ａがウォータジャケット３の内壁の一部を構成する。
なお、シリンダブロック２Ａに係わるその他の構成は、図２及び図３に示す例と同様であるので、共通部分に同一の符号を付し、その説明を省略する。
【００２１】
本実施形態のウォータジャケットスペーサ１Ａは、全体形状が前記ウォータジャケット３内に遊挿し得る筒形状で、合成樹脂による独立発泡体の成型体からなるスペーサ基体１０を有している。図例のウォータジャケットスペーサ１Ａも、前記と同様に当該スペーサ基体１０のみから構成されているが、スペーサ基体１０の周面に、冷却水の流通を規制する突起等を備えたものであっても良い。このスペーサ基体１０を構成する合成樹脂発泡体も、前記と同様に比重が冷却水より小さい合成樹脂発泡体が用いられる。更に、本実施形態のウォータジャケットスペーサ１Ａのスペーサ基体１０は、全体に亘って同発泡倍率の前記合成樹脂の発泡体からなり、スペーサ基体１０の下部１０ａが、上部１０ｂより厚肉に形成されている。
【００２２】
前記のように構成されたスペーサ基体１０は、図５及び図６に示すように、シリンダブロック２Ａに形成されたウォータジャケット３内にその開口端部より挿入される。図６は、スペーサ基体１０がウォータジャケット３に挿入された前記シリンダブロック２に、シリンダヘッド５Ａがシリンダヘッドガスケット６Ａを介して締結された状態を示している。そして、ウォータジャケット３内に、冷却水が給水口３ａより給水されて、ウォータジャケット３内が冷却水で満たされる。このように冷却水がウォータジャケット３内に満たされた状態では、スペーサ基体１０と冷却水との比重差により、スペーサ基体１０が冷却水に対して浮上する（図６の太矢印参照）。この浮上は、前記スペーサ基体１０と前記ウォータジャケット３の底壁（内壁）３２との隙間ｄ５が広がり、上端が前記シリンダヘッドガスケット６Ａに当接するようになされる。この当接によって、スペーサ基体１０のウォータジャケット３内での上下方向の位置決めがなされ、意図した冷却水による冷却効果が的確に発揮される。また、隙間ｄ５が広がることにより、冷却水の流路が確保される。そして、スペーサ基体１０が独立気泡の合成樹脂発泡体からなることにより、前記と同様に断熱及び遮音効果も発揮される。加えて、本実施形態では、スペーサ基体１０の下部１０ａが、上部１０ｂより厚肉に形成されているから、スペーサ基体１０の上部１０ｂと、シリンダボア壁４ａとの間隔が広く確保され、この部分で冷却水の流量が多くなり、燃焼室に近いこの部分の冷却が効果的になされる。
【００２３】
図７は、第２の実施形態の変形例を示している。この例のウォータジャケットスペーサ１Ａにおいては、スペーサ基体１０が、図６の例と同様に全体が合成樹脂の発泡体からなるが、その上部１０ｂの発泡倍率が、下部１０ａの発泡倍率より高くされている。これによって、下部１０ａが、上部１０ｂより比重が大となるように設定され、スペーサ基体１０の全体としては、前記と同様に冷却水より比重が小とされている。スペーサ基体１０は、上部１０ｂ及び下部１０ａを同時成型して一体に形成することも可能であるが、上部１０ｂ及び下部１０ａをそれぞれ個別に成型し、これらを接着剤等によって一体に固着させて形成することも可能である。この例のスペーサ基体１０も、縦型のシリンダブロック２Ａに形成されたウォータジャケット３内に挿入され、該シリンダブロック２Ａの上端部に、シリンダヘッド５Ａがシリンダヘッドガスケット６Ａを介して締結される。そして、ウォータジャケット３内が冷却水で満たされると、スペーサ基体１０と冷却水との比重差により、スペーサ基体１０が冷却水に対して浮上する（図７の太矢印参照）。この浮上も、前記スペーサ基体１０と前記ウォータジャケット３の底壁（内壁）３２との隙間ｄ５が広がり、上端が前記シリンダヘッドガスケット６Ａに当接するようになされる。この当接によって、スペーサ基体１０のウォータジャケット３内の上下方向の位置決めがなされると共に、隙間ｄ５の広がりによって冷却水の流路が確保され、意図した冷却水による冷却効果が的確に発揮される。また、スペーサ基体１０は、その下部１０ａが上部１０ｂより比重が大となるよう設定されているから、シリンダヘッドガスケット６Ａに当接した浮上姿勢が安定化され、前記の意図した冷却効果がより的確に発揮される。
なお、その他の構成は、図６に示す例と同様であるから、共通部分に同一の符号を付し、その説明を省略する。
【００２４】
図８は、第２の実施例の別の変形例を示している。この例のウォータジャケットスペーサ１Ａにおいては、スペーサ基体１０の上部１０ｂが合成樹脂の発泡体からなり、下部１０ａが合成樹脂の非発泡体からなる。これによって、下部１０ａが、上部１０ｂより比重が大となるように設定されているが、スペーサ基体１０の全体としては、前記と同様に冷却水より比重が小とされている。スペーサ基体１０は、上部１０ｂ及び下部１０ａを同時成型して一体に形成することも可能であるが、上部１０ｂ及び下部１０ａをそれぞれ個別に成型し、これらを接着剤等によって一体に固着させて形成することも可能である。この例のスペーサ基体１０も、縦型のシリンダブロック２Ａに形成されたウォータジャケット３内に挿入され、該シリンダブロック２Ａの上端部に、シリンダヘッド５Ａがシリンダヘッドガスケット６Ａを介して締結される。そして、ウォータジャケット３内が冷却水で満たされると、スペーサ基体１０と冷却水との比重差により、スペーサ基体１０が冷却水に対して浮上する（図８の太矢印参照）。この浮上も、前記スペーサ基体１０と前記ウォータジャケット３の底壁（内壁）３２との隙間ｄ５が広がり、上端が前記シリンダヘッドガスケット６Ａに当接するようになされる。この当接によって、スペーサ基体１０のウォータジャケット３内の上下方向の位置決めがなされ、意図した冷却水による冷却効果が的確に発揮される。また、スペーサ基体１０は、その下部１０ａが上部１０ｂより比重が大となるよう設定されているから、シリンダヘッドガスケット６Ａに当接した浮上姿勢が安定化され、前記の意図した冷却効果の発揮がより的確になされる。
なお、その他の構成は、図６及び図７に示す例と同様であるから、共通部分に同一の符号を付し、その説明を省略する。
【００２５】
なお、図例のスペーサ基体１０の断面形状は、いずれも模式的に示しており、これらに限定されるものではない。また、図４〜図６に示す例においても、スペーサ基体１０の上部１０ｂと下部１０ａを別体に形成し、後に接着剤等によって一体としてスペーサ基体１０を構成するようにしても良い。更に、図４〜図６に示す例において、上部１０ｂ及び下部１０ａの肉厚を異ならせているが、全体の断面形状を図３に示すようなスペーサ基体１０と同様のものとしても良い。そして、本発明のウォータジャケットスペーサが適用されるエンジンとして、２気筒の水平型エンジンと、３気筒の縦型エンジン（Ｖ型の場合、６気筒）とを例示したが、他の気筒数のエンジンにも適用可能である。従って、当該ウォータジャケットスペーサの全体形状は、エンジンの仕様に応じて適宜変更されることは言うまでもない。
【符号の説明】
【００２６】
１，１Ａ                    ウォータジャケットスペーサ
１０                        スペーサ基体
１０ａ                      下部
１０ｂ                      上部
２，２Ａ                    シリンダブロック
３                          ウォータジャケット
３ａ                        給水口
３ｂ                        排水口
３０                        下側の外側壁（内壁）
３１                        上側の外側壁（内壁）
３２                        底壁（内壁）
５，５Ａ                    シリンダヘッド
６，６Ａ                    シリンダヘッドガスケット
ｄ１〜ｄ５                  隙間
【図１】
0005812530.tif 000002
【図２】
0005812530.tif 000003
【図３】
0005812530.tif 000004
【図４】
0005812530.tif 000005
【図５】
0005812530.tif 000006
【図６】
0005812530.tif 000007
【図７】
0005812530.tif 000008
【図８】
0005812530.tif 000009